(57)【特許請求の範囲】
【請求項１】
圧縮された冷媒の放熱作用又は気化熱の吸収による冷却作用を利用して被空調室内が設定温度となるように空気調和を図る空気調和機であって、
通常運転時に、複数の運転モードから選択された１つの運転モードに従って設定される運転周波数に応じて冷媒を圧縮すると共に、試運転時に、定格周波数に応じて冷媒を圧縮すると共に、前記定格周波数よりも低い周波数に制御された状態で冷房動作又は暖房動作が行われていない場合に電源が停止されるコンプレッサと、
試運転時に駆動系とは別の部位で故障が起きたことを検知すると、前記コンプレッサの運転周波数を前記定格周波数よりも低い周波数に制御する運転制御手段と、
を備えた空気調和機。
【請求項２】
前記定格周波数よりも低い周波数は、定格周波数の１／２の周波数である請求項１に記載の空気調和機。
【発明の詳細な説明】
【０００１】
【発明の属する技術分野】
本発明は、空気調和機に関する。
【０００２】
【従来の技術】
従来より、室内の温度を適切に調整するために空気調和機（以下、「エアコン」と称す。）が利用されている。エアコンには、通常、室内の温度を予め設定した温度に保つために、風力、風向、温度を自動的に制御する自動制御モードや、睡眠に適した環境に調整するおやすみモード等の種々の運転モードが設けられている。
【０００３】
運転モードの選択は、通常、リモコンスイッチによって行われる。リモコンスイッチは、運転モードの選択の他に、設定温度や、風向、風量などの運転条件もマニュアルで設定できるように構成されており、リモコンスイッチに設けられた運転選択スイッチによる遠隔操作により、空調運転が開始される。
【０００４】
リモコンスイッチから種々の設定条件がエアコンに送信されると、エアコン内では、設定温度と室内温度とを比較し室内温度が設定温度となるように、必要な空調風の温度や風量等の空調能力を設定し、設定された温度の空調風を得るためのコンプレッサの運転周波数を設定する。
【０００５】
その後、設定された運転周波数に基づいてコンプレッサが駆動することにより、エアコンの空調運転が開始されることとなる。また、エアコンでは、室内温度の変化に応じて空調能力を調整して、室内を迅速に所望の空調状態とするとともに、この空調状態（設定温度）を維持するようにしている。
【０００６】
一般に、エアコンには、エアコンを初めて取り付けたときや、何らかの支障をきたしてエアコンが正常に動作しなくなったとき等においてエアコンの動作をチェックするために試運転に切り替えられるように試運転スイッチが設けられている。
【０００７】
試運転スイッチが入れられてエアコンが試運転に切り替わると、エアコン内では、室内温度及び室内湿度にかかわらず、コンプレッサの運転周波数を定格周波数に固定して空調動作を開始する。この試運転でエアコンが正常に動作することを確認後、試運転から通常運転にスイッチを切り替えてエアコンの使用を開始することとなる。
【０００８】
【発明が解決しようとする課題】
一般に、エアコンには、負荷の増大や、コンプレッサ温度異常による電流の増大、センサ異常や、断線、シリアル通信エラーなどの異常を検知すると、コンプレッサの駆動を強制的に停止させてエアコンの運転を停止させる故障回路が設けられている。
【０００９】
そのため、室内の環境を検知するために使用されるセンサなどのように、エアコンの駆動系とは別に設けられた部位に異等が発生しただけでも、エアコンの運転は停止してしまう。
【００１０】
すなわち、コンプレッサの駆動による冷房動作や暖房動作等のようにエアコンの駆動系に異常がなく、エアコンの制御系などの他の部位が故障しただけの場合でも故障した部位を修理するまでの間はエアコンを駆動できないという不都合がある。
【００１１】
以上のことから本発明は、エアコンの駆動系とは別の部位で故障が起きた場合にエアコンを駆動できる空気調和機を提供することを目的とする。
【００１２】
【課題を解決するための手段】
上記目的を達成するために本発明の空気調和機は、圧縮された冷媒の放熱作用又は気化熱の吸収による冷却作用を利用して被空調室内が設定温度となるように空気調和を図る空気調和機であって、通常運転時に、複数の運転モードから選択された１つの運転モードに従って設定される運転周波数に応じて冷媒を圧縮すると共に、試運転時に、定格周波数に応じて冷媒を圧縮すると共に、前記定格周波数よりも低い周波数に制御された状態で冷房動作又は暖房動作が行われていない場合に電源が停止されるコンプレッサと、試運転時に駆動系とは別の部位で故障が起きたことを検知すると、前記コンプレッサの運転周波数を前記定格周波数よりも低い周波数に制御する運転制御手段と、を備えている。
【００１３】
すなわち、請求項１の発明では、空気調和機の取り付け後やメンテナンス時などの試運転中に異常が検知されると、運転制御手段がコンプレッサの運転周波数を定格周波数より低い周波数に制御しているため、検知された異常が、例えば、負荷の増大や、コンプレッサ温度異常による電流の増大、センサ異常や、断線、シリアル通信エラーなどのエアコンの制御系の故障に起因する場合であればエアコンを運転することができる。
【００１４】
これにより、エアコンの制御系などの駆動系とは別の部位が故障しただけの場合でも故障した部位を修理するまでの間、運転制御部によって制御された運転周波数に応じた出力でコンプレッサの駆動による冷房動作（又は暖房動作）を行えるので、故障が直るまでの間、全くエアコンが使用できないという不都合を回避できる。
試運転中に異常が検知されたときに、運転制御部が設定する運転周波数は定格周波数よりも低い周波数であればよいが、好ましくは、請求項２の発明のように、定格周波数の１／２の周波数とするとよい。
【００１５】
【発明の実施の形態】
以下、図１から図８を参照して本発明の実施の形態について詳細に説明する。
【００１６】
（構成）
図１には本実施の形態に適用した空気調和機（以下「エアコン１０」という）が示されている。このエアコン１０は、室内ユニット１２と室外ユニット１４とによって構成されており、遠隔操作手段として設けられているワイヤレスリモコンスイッチ（以下「リモコン１２０」という）の操作によって運転／停止される。また、エアコン１０は、リモコン１２０で運転モード、設定温度等の運転条件が設定されて操作信号が送出されると、この操作信号を室内ユニット１２で受信して操作信号に基づいた運転が行われる。
【００１７】
図２には、エアコン１０の室内ユニット１２と室外ユニット１４との間に構成されている冷凍サイクルの概略が示されている。室内ユニット１２と室外ユニット１４の間には、冷媒を循環させる太管の冷媒配管１６Ａと、細管の冷媒配管１６Ｂが対で設けられており、それぞれの一端が室内ユニット１２に設けられている熱交換器１８に接続されている。
【００１８】
冷媒配管１６Ａの他端は、室外ユニット１４のバルブ２０Ａに接続されている。このバルブ２０Ａは、マフラー２２Ａを介して四方弁２４に接続されている。この四方弁２４には、それぞれがコンプレッサ２６に接続されているアキュムレータ２８とマフラー２２Ｂが接続されている。さらに、室外ユニット１４には、熱交換器３０が設けられている。この熱交換器３０は、一方が四方弁２４に接続され、他方がキャピラリチューブ３２、ストレーナ３４、電動膨張弁３６、モジュレータ３８を介してバルブ２０Ｂに接続されている。このバルブ２０Ｂには、冷媒配管１６Ｂの他端が接続されており、これによって、室内ユニット１２と室外ユニット１４の間に冷凍サイクルを形成する冷媒の密閉された循環路が構成されている。
【００１９】
エアコン１０は、コンプレッサ２６の運転によってこの冷凍サイクル中を冷媒が循環されることにより冷房または暖房運転が可能となっている。
【００２０】
すなわち、冷房モードでは、コンプレッサ２６によって圧縮された冷媒が熱交換器３０へ供給されることにより液化され、この液化された冷媒が室内ユニット１２の熱交換器１８で気化することにより、熱交換器１８を通過する空気を冷却する。また、暖房モードでは、逆に、コンプレッサ２６によって圧縮された冷媒が、室内ユニット１２の熱交換器１８で凝縮されることにより放熱し、この冷媒が放熱した熱で熱交換器１８を通過する空気を加熱する。
【００２１】
図２では、矢印によって冷房モード（冷房運転）と暖房モード（暖房運転）におけるそれぞれの冷媒の流れを示しており、四方弁２４の切り換えによって、運転モードが冷房モード（ドライモード）と暖房モードとが切り換えられ、電動膨張弁３６の弁開度を制御することにより、冷媒の蒸発温度が調整される。
【００２２】
図３には、室内ユニット１２の概略断面が示されている。この室内ユニット１２には、図示しない室内の壁面に取り付けられる取付ベース４０の上下（図２の紙面上下）に係止されるケーシング４２によって内部が覆われている。このケーシング４２内には、中央部にクロスフローファン４４が配置されている。熱交換器１８は、クロスフローファン４４の前面側から上面側に渡って配置されていおり、熱交換器１８とケーシング４２の前面側から上面側に形成されている吸込み口４６との間には、フィルタ４８が配置されている。また、ケーシング４２の下部には、吹出し口５０が形成されている。
【００２３】
これにより、室内ユニット１２では、クロスフローファン４４の回転によって、吸込み口４６から室内の空気が吸込まれフィルタ４８及び熱交換器１８を通過した後、吹出し口５０から室内へ向けて吹き出される。また、室内ユニット１２では、冷凍サイクルの運転によって熱交換器１８が冷却または加熱されており、室内から吸込んだ空気は、熱交換器１８を通過するときに、熱交換器１８によって冷却または加熱され、この空気が室内へ吹き出されることにより室内の空気調和が図られる。
【００２４】
吹出し口５０内には、左右フラップ５２及び上下フラップ５４が設けられており、左右フラップ５２及び上下フラップ５４によって、吹き出される空調風の向きが変えられるようになっている。
【００２５】
図４に示すように、室内ユニット１２には、電源基板５６、コントロール基板５８及びパワーリレー基板６０が設けられている。エアコン１０を運転するための電力が供給される電源基板５６には、モータ電源６２、制御回路電源６４、シリアル電源６６及び駆動回路６８が設けられている。また、コントロール基板５８には、シリアル回路７０、駆動回路７２及びマイコン７４が設けられている。
【００２６】
電源基板５６の駆動回路６８には、クロスフローファン４４を駆動するファンモータ７６（例えばＤＣブラシレスモータ）が接続されており、コントロール基板５８に設けられているマイコン７４からの制御信号に応じてモータ電源６２から駆動電力が供給される。このとき、マイコン７４は、駆動回路６８からの出力電圧を１２Ｖ〜３６Ｖの範囲で２５６ステップで変化させるように制御してファンモータ７６の速度制御を行う。
【００２７】
コントロール基板５８の駆動回路７２には、パワーリレー基板６０及び上下フラップ５４を操作する上下フラップモータ７８が接続されている。パワーリレー基板６０には、パワーリレー８０と温度ヒューズ等が設けられており、マイコン７４からの信号によって、パワーリレー８０を操作し、室外ユニット１４へ電力を供給するための接点８０Ａを開閉する。エアコン１０は、接点８０Ａが閉じられることにより、室外ユニット１４へ電力が供給されて運転される。
【００２８】
また、上下フラップモータ７８は、マイコン７４の制御信号に応じて制御されて、上下フラップ５４を操作する。上下フラップ５４が、上下方向へスイングされることにより、室内ユニット１２の吹出し口５０から吹き出される空気の吹出し方向が上下方向へ変えられる。この上下フラップ５４の操作は、吹出し風が任意の位置に向けられるように固定できるが、自動モードにおいては複数の位置でランダムに変化させることができるように構成されている。
【００２９】
このように、エアコン１０の室内ユニット１２では、クロスフローファン４４の回転と、上下フラップ５４の操作が制御されることにより、所望の風量及び風向または室内を快適にするために制御された風量及び風向で空調された空気を室内へ吹出すことができる。
【００３０】
シリアル回路７０は、マイコン７４及び電源回路５６のシリアル電源６６に接続され、さらに室外ユニット１４へ接続されている。マイコン７４は、このシリアル回路７０を介して室外ユニット１４との間でシリアル通信を行い、室外ユニット１４の作動を制御する。
【００３１】
また、室内ユニット１２には、後述するリモコン１２０からの操作信号を受信する受信回路及び運転表示用の表示ＬＥＤ等を備えた表示基板８２が設けられており、この表示基板８２がマイコン７４に接続されている。図１に示すように、表示基板８２は表示部８２Ａがケーシング４２の表面に露出されており、リモコン１２０からの操作信号がこの表示部８２Ａで受信されて入力される。
【００３２】
図４に示すように、マイコン７４には、室内温度を検出する室温センサ８４及び熱交換器１８のコイル温度を検出する熱交温度センサ８６が接続され、さらに、コントロール基板５８に設けられているサービスＬＥＤ及び運転切換スイッチ８８が接続されている。なお、後述するリモコン１２０にも温度センサが設けられており、室内温度は通常は、リモコン１２０によって計測されて所定のタイミングで送出される。
【００３３】
運転切換スイッチ８８は、通常運転とメンテナンス時に行う試験運転との切換用であると共に、電源スイッチ８８Ａの接点を開放してエアコン１０への運転電力の供給を遮断できるようになっている。通常、この運転切換スイッチ８８は、通常運転に設定されているが、メンテナンス時には試運転に切り替えられる。
【００３４】
運転切換スイッチ８８が試運転に切り替えられると、マイコン７４は後述するインバータ回路１０６から出力される電力の周波数が定格周波数に固定されるように後述する室外ユニット１４のマイコン９８に制御信号を出力し、エアコン１０が正常に運転するかをチェックする。
【００３５】
エアコン１０が正常に運転するのが確認されると、運転切換スイッチ８８を通常運転に切り替えて通常運転を開始する。エアコン１０の運転に異常が検知されると、マイコン７４は、後述する室外ユニット１４のマイコン９８に制御信号を出力し、コンプレッサモータ１０８の運転周波数を定格周波数の１／２の周波数としてコンプレッサ２６の能力を低く制御する。
【００３６】
これにより、エアコン１０は周囲の環境にかかわらず低い運転能力に制限されるので、負荷の増大や、コンプレッサ温度異常による電流の増大、センサ異常や、断線、シリアル通信エラーなどの異常に起因して電流が増大しても規定値に達しにくくなるので、電流が増大すると異常と判断してエアコンを停止させる故障回路が作動しにくくなり、試運転中に異常が検知されても故障を完全に修理するまでの期間などにおいて或る程度の能力であれば、運転を行えることとなる。なお、サービスＬＥＤは、メンテナンス時に点灯操作することにより、サービスマンに自己診断結果を知らせるように構成されている。
【００３７】
この室内ユニット１２は、端子板９０のターミナル９０Ａ、９０Ｂ、９０Ｃを介して室外ユニット１４に接続されている。
【００３８】
図５に示すように、室外ユニット１４には端子板９２が設けられており、この端子板９２のターミナル９２Ａ、９２Ｂ、９２Ｃがそれぞれ、室内ユニット１２の端子板９０のターミナル９０Ａ、９０Ｂ、９０Ｃに接続されている。これにより、室外ユニット１４には、室内ユニット１２から運転電力が供給されると共に、室内ユニット１２との間でシリアル通信可能に構成されている。
【００３９】
この室外ユニット１４には、整流基板９４、コントロール基板９６が設けられている。コントロール基板９６には、マイコン９８と共に、ノイズフィルタ１００Ａ、１００Ｂ、１００Ｃ、シリアル回路１０２及びスイッチング電源１０４等が設けられている。
【００４０】
整流基板９４には、ノイズフィルタ１００Ａを介して供給される電力を整流し、ノイズフィルタ１００Ｂ、１００Ｃを介して平滑化してスイッチング電源１０４へ出力する。スイッチング電源１０４は、マイコン９８と共にインバータ回路１０６に接続されている。これにより、マイコン９８から出力される制御信号に応じた周波数の電力をインバータ回路１０６からコンプレッサモータ１０８へ出力して、コンプレッサ２６を回転駆動させる。
【００４１】
なお、マイコン９８は、インバータ回路１０６から出力される電力の周波数が、オフまたは１４Hz以上（上限は運転電流の上限による）の範囲となるように制御しており、これによって、コンプレッサモータ１０８、すなわちコンプレッサ２６の回転数が変えられ、コンプレッサ２６の能力（エアコン１０の冷暖房能力）が制御される。
コントロール基板９６には、四方弁２４及び熱交換器３０を冷却するための図示しないファンを駆動するファンモータ１１０、ファンモータコンデンサ１１０Ａが接続されている。また、室外ユニット１４には、外気温度を検出する外気温度センサ１１２、熱交換器３０の冷媒コイルの温度を検出するコイル温度センサ１１４及びコンプレッサ２６の温度を検出するコンプレッサ温度センサ１１６が設けられており、これらがマイコン９８に接続されている。
【００４２】
マイコン９８は、通常運転時は、運転モードに応じて四方弁２４を切り換えると共に、室内ユニット１２からの制御信号、外気温度センサ１１２、コイル温度センサ１１４及びコンプレッサ温度センサ１１６の検出結果に基づいて、ファンモータ１１０のオン／オフ及びコンプレッサモータ１０８の運転周波数（コンプレッサ２６の能力）等を制御する。
【００４３】
なお、冷房またはドライ運転では、冷房運転を行う冷房領域、冷房領域より冷房能力は低いがドライＡ領域よりも除湿能力が高いドライ運転を行うドライＡＡ領域、室内温度と設定温度との温度差に基づいて設定されている１次式に基づいてコンプレッサ２６の運転周波数を所定値まで低下させるようにドライ運転を行うドライＡ領域、前記所定値でコンプレッサ２６を所定間隔でオンオフさせ、間欠的に運転するドライＢ領域が設定されている。なお、冷房領域、ドライＡＡ領域及びドライＡ領域においてもコンプレッサ２６を例えば３分程度強制的にオフする場合がある。
【００４４】
また、マイコン９８は、試運転時には、外気温度センサ１１２、コイル温度センサ１１４及びコンプレッサ温度センサ１１６の検出結果にかかわらず、室内ユニット１２のマイコン７４からの制御信号に基づいて、インバータ回路１０６から出力される電力の周波数を定格周波数に固定してエアコン１０を運転する。
【００４５】
エアコンが正常に運転しない場合は、室内ユニット１２のマイコン７４から送られてきた制御信号に基づいてコンプレッサモータ１０８の運転周波数を定格周波数の１／２の周波数に制御する。
【００４６】
また、図６（Ａ）及び図６（Ｂ）には、エアコン１０の遠隔操作に用いられるリモコン１２０の一例が示されている。
【００４７】
リモコン１２０は、ケーシング１２２に矩形状の液晶パネルを用いた表示窓１２４が設けられている。図６（Ｂ）に示すように、この表示窓１２４には、運転モード、設定温度、室内温度（室温）、風量等の種々の運転条件が表示可能となっている。図６（Ａ）に示すように、エアコン１０の運転中は、運転モード、設定温度又は室温、風量等の設定された運転条件又は運転状態が選択されて表示すように構成されている。
【００４８】
図６（Ａ）及び図６（Ｂ）に示すように、ケーシング１２２の表面には、運転／停止ボタン１２６、温度設定ボタン１２８Ａ、１２８Ｂ、１時間タイマ（１Ｈタイマ）ボタン１３０、省エネ用の運転条件を設定するためのワンタッチエコボタン１３２、運転モードを自動、暖房、ドライ、冷房、送風、空気清浄と順に切り換える運転切換ボタン１３８、室内ユニット１２の吹出し口５０から吹出す風量、風向の設定を切り換える風量ボタン１４０、風向ボタン１４２、快適な睡眠が得られるようにするための快眠ボタン１４４、アンペア切換ボタン１４６、タイマ入りボタン１５０、タイマ切ボタン１５２及びタイマ設定ボタン１５４が設けられており、エアコン１０の運転能力を種々に設定可能に構成されている。また、表示窓１２４にこれらの操作に応じた表示がなされる（例えば図６（Ａ）参照）。
【００４９】
エアコン１０は、運転／停止ボタン１２６の操作によって運転又は停止される。また、表示窓１２４に表示す設定温度は、温度設定ボタン１２８Ａの操作によって高くなり、温度設定ボタン１２８Ｂの操作によって低くなる。
【００５０】
１時間タイマボタン１３０は、エアコン１０の運転時間を１時間に設定し、１時間経過するとリモコン１２０からエアコン１０の室内ユニット１２へ停止信号を送出するように設定されている。
【００５１】
アンペア切換ボタン１４６は、使用電気容量の設定の切り換え用であり、例えば使用電気容量を２０アンペアから１５アンペアに切り換えることができる。これにより最大電流値をセーブできるので、他の電気器具と併用しているときでもブレーカーダウンを防ぐことができる。
【００５２】
タイマ入りボタン１５０及びタイマ切ボタン１５２のそれぞれは、運転開始時間、運転停止時間の設定用となっており、例えば、表示窓１２４に表示している予約時刻をタイマ入りボタン１５０の操作によって変え、所望の時間を表示させた後、タイマ設定ボタン１５４を操作してタイマ予約を行う構成としている。
【００５３】
また、リモコン１２０のケーシング１２２には、カバー１３４が設けられており、このカバー１３４を取り外すと、図６（Ｂ）に示すようにリセットボタン１５６及びセンサ切換ボタン１５８が露出するように構成されている。
【００５４】
図７には、リモコン１２０の機能ブロック図を示しており、リモコン１２０には、表示窓１２０の表示を行う表示部１６０、前記した種々の設定ボタンが設けられている操作部１６２、室内温度を検出する室温センサ１６４及び時間計測するための時計機能を備えたタイマ回路１６６が設けられており、これらがマイコンを備えたリモコン制御部１６８に接続されている。また、このリモコン制御部１６８には、室内ユニット１２へ操作信号を送出する送信部１７０が接続されている。
【００５５】
リモコン制御部１６８は、操作部１６２から入力される操作状態に応じたエアコン１０の操作信号を室内ユニット１２へ送出すると共に、室温センサ１６４の検出結果も送出するように構成されている。また、リモコン制御部１６８は、室内ユニット１２が運転中であるか否かを確認している。この確認は、例えば、操作信号を送出したときに、室内ユニット１２からの受信応答などから確認する。
【００５６】
また、リモコン制御部１６８では、エアコン１０の運転がタイマ予約されたときには、この予約内容を記憶し、予約内容に応じて室内ユニット１２へ自動的に運転又は停止信号を送出して、エアコン１０を運転又は停止させる。
【００５７】
（作用）
次に、本実施の形態のエアコンにおいて、室内ユニット１２のマイコン７４が行う通常運転と試験運転における制御について図８のフローチャートを参照して説明する。
【００５８】
まず、ステップ２００において、運転切換スイッチ８８が試験運転に切り替えられているかを判断する。運転切換スイッチ８８が試験運転に切り替えられていない場合は、通常運転と判断してルーチンを終了する。
【００５９】
運転切換スイッチ８８が試験運転に切り替えられている場合は、試験運転と判断してステップ２０２に移行し、インバータ回路１０６からコンプレッサモータ１０８に出力される運転周波数が定格周波数となるように室外ユニット１４のマイコン９８に制御信号を出力する。
【００６０】
更に、ステップ２０４においてエアコン１０の冷房動作（又は暖房動作）が正常に行われているかを判断する。エアコン１０の冷房動作（又は暖房動作）が正常に行われている場合、ステップ２１４に移行して異常なしを表すサービスＬＥＤを点灯し、このルーチンを終了する。
【００６１】
ステップ２０４においてエアコン１０の冷房動作（又は暖房動作）が正常に行われていないと判断した場合、ステップ２０６に移行し、インバータ回路１０６からコンプレッサモータ１０８に出力される運転周波数が定格周波数の１／２の周波数となるように室外ユニット１４のマイコン９８に制御信号を出力する。
【００６２】
更に、ステップ２０８において定格周波数の１／２の周波数でコンプレッサ２６が駆動して冷房動作（又は暖房動作）が行われているかを判断する。冷房動作（又は暖房動作）が行われている場合、ステップ２１０に移行し、定格周波数の１／２の周波数で駆動していることを表すサービスＬＥＤを点灯してこのルーチンを終了する。
【００６３】
また、冷房動作（又は暖房動作）が行われていない場合は、ステップ２１６に移行し、コンプレッサ２６の駆動系の故障と判断して、パワーリレー８０を操作し、室外ユニット１４へ電力を供給するための接点８０Ａを閉じ、室外ユニット１４への電力の供給を遮断してコンプレッサの電源を停止させ、このルーチンを終了する。
【００６４】
このように、本実施の形態では、試運転時に異常検知した後、エアコン１０の運転を完全に停止させるのではなく、コンプレッサ２６の運転周波数を定格周波数の１／２の周波数として、エアコン１０の冷房動作（又は暖房動作）が行われるかを判断し、エアコン１０の冷房動作（又は暖房動作）が行えるのであれば、エアコン１０を一定の能力で運転できるようにしているので、例えば、故障を修理するために必要な部品が手元になく、部品が届くまでの間エアコンの修理ができない等のように、即座にエアコン１０を修理できない場合に、異常を発見してからエアコン１０を修理するときまでの期間、全くエアコンを使用できなくなるという不都合を回避できる。
【００６５】
【発明の効果】
以上説明した如く、請求項１及び請求項２に記載の発明によれば、試運転時にエアコンの駆動系とは別の部位で故障が起きた場合であれば、エアコンを或る一定の出力で運転できる、という効果がある。
【図面の簡単な説明】
【図１】本実施の形態に適用したエアコンの概略構成図である。
【図２】本実施の形態に適用したエアコンの冷凍サイクルを示す概略図である。
【図３】室内ユニットを示す概略断面図である。
【図４】室内ユニットの回路構成の概略を示すブロック図である。
【図５】室外ユニットの回路構成の概略を示すブロック図である。
【図６】（Ａ）はエアコンの運転中の表示の一例が示されているリモコンの平面図である。（Ｂ）はリモコンの表示窓に表示すキャラクターの全てが表示されているリモコンの平面図である。
【図７】リモコンの一例を示す機能ブロック図である。
【図８】室内ユニット１２のマイコン７４が行う通常運転と試験運転における制御ルーチンの流れを示すフローチャートである。
【符号の説明】
１０    エアコン（空気調和機）
１２    室内ユニット
１４    室外ユニット
１８    熱交換器
２６    コンプレッサ
３０    熱交換器
７４    マイコン（運転制御手段）
８６    熱交温度センサ
１１２    外気温度センサ
１２０    リモコン
【図１】
0004201416.tif 000002
【図２】
0004201416.tif 000003
【図３】
0004201416.tif 000004
【図４】
0004201416.tif 000005
【図５】
0004201416.tif 000006
【図６】
0004201416.tif 000007
【図７】
0004201416.tif 000008
【図８】
0004201416.tif 000009